(57)【要約】  本発明の一態様による採光スラットは、長手方向に垂直な断面において複数の曲げ部を有し、光透過性を有する基材と、基材の第１面の少なくとも一部に設けられた光透過性を有する複数の採光部と、複数の採光部の間に設けられた空隙部と、を備え、採光部に入射した光を反射する機能を有する。
2018066264.tif 000002
【特許請求の範囲】
【請求項１】
長手方向に垂直な断面において複数の曲げ部を有し、光透過性を有する基材と、
前記基材の第１面の少なくとも一部に設けられた光透過性を有する複数の採光部と、
前記複数の採光部の間に設けられた空隙部と、を備え、
前記採光部に入射した光を反射する機能を有する、採光スラット。
【請求項２】
前記基材は、前記複数の曲げ部のうちの第１曲げ部に対して一方の側に位置する第１領域と、他方の側に位置する第２領域と、を備え、
前記第１領域の幅は前記第２領域の幅よりも広く、
前記第１領域の第１面の少なくとも一部に前記複数の採光部が設けられた、請求項１に記載の採光スラット。
【請求項３】
前記複数の採光部が前記第２領域に設けられた、請求項２に記載の採光スラット。
【請求項４】
前記複数の曲げ部のうちの第２曲げ部に対して前記第１領域とは反対側に位置する第３領域をさらに備え、
前記第１領域の幅は前記第３領域の幅よりも広い、請求項２に記載の採光スラット。
【請求項５】
前記複数の採光部が前記第３領域に設けられた、請求項４に記載の採光スラット。
【請求項６】
前記第２領域及び前記第３領域は、前記第１領域に対して互いに同じ側に曲げられている、請求項２または４に記載の採光スラット。
【請求項７】
前記第２領域と前記第３領域とは、前記第１領域に対して互いに反対側に曲げられている、請求項３に記載の採光スラット。
【請求項８】
前記第２領域および前記第３領域の少なくとも一方に、ラダーコード収納用の切り欠きが設けられた、請求項３に記載の採光スラット。
【請求項９】
長手方向に垂直な断面において、前記第１領域と前記第２領域とのなす角度、および前記第１領域と前記第３領域とのなす角度の少なくとも一方が、９０°よりも大きい、請求項３に記載の採光スラット。
【請求項１０】
前記第２領域および前記第３領域の少なくとも一方が光吸収性を有する、請求項７に記載の採光スラット。
【請求項１１】
長手方向に垂直な断面において、前記第１領域と前記第２領域とのなす角度、および前記第１領域と前記第３領域とのなす角度の少なくとも一方が、９０°よりも小さい、請求項３に記載の採光スラット。
【請求項１２】
前記第２領域および前記第３領域の少なくとも一方が光反射性を有する、請求項９に記載の採光スラット。
【請求項１３】
前記基材の第２面の少なくとも一部に設けられた光拡散層をさらに備えた、請求項１に記載の採光スラット。
【請求項１４】
前記基材の第２面の少なくとも一部に設けられたプリズム構造体をさらに備えた、請求項１に記載の採光スラット。
【請求項１５】
複数のスラットと、
前記スラットの長手方向を水平方向に向けて前記複数のスラットを連結するとともに前記複数のスラットを鉛直方向に吊り下げる形態で支持する支持機構と、
を備え、
前記複数のスラットのうちの少なくとも一部が、請求項１から請求項１２のいずれか一項に記載の採光スラットで構成されている、採光装置。
【発明の詳細な説明】
【技術分野】
【０００１】
本発明のいくつかの態様は、採光スラット及び採光装置に関するものである。
本願は、２０１６年１０月４日に日本に出願された特願２０１６−１９６３５６号について優先権を主張し、その内容をここに援用する。
【背景技術】
【０００２】
従来、オフィスなどでは、窓ガラス等を通して屋外の自然光（太陽光）が屋内（室内）に入射するため、屋内に居る人に眩しさを感じさせることがある。このため、仕事中に眩しさを感じさせることがないように、また、セキュリティーやプライバシー保護の観点などから、窓ガラスの前面にブラインドやカーテン等を配置する場合がある。これにより、窓ガラスから入射する光を遮光したり、窓ガラスを通して室内を覗き見されたりするのを防ぐことができる。このようなブラインドとして、日射の採り込み量を調整するために、透光性および遮光性の両方を兼ね備えたスラットを備えたブラインドが知られている（例えば、特許文献１）。
【先行技術文献】
【特許文献】
【０００３】
【特許文献１】特開２０１３−２２２４号公報
【発明の概要】
【発明が解決しようとする課題】
【０００４】
しかしながら従来の構成では、１つのスラットがアルミニウム等の非透光性部材と樹脂部材とを組み合わせて構成されており、各材料の比重や剛性の違いによって長手方向の中央部分が局所的に撓んでしまうおそれがある。【０００５】
本発明の一つの態様は、上記従来技術の問題点に鑑み成されたものであって、長手方向の中央部分の撓みが抑制された採光スラット、並びにそのような採光スラットを用いて、屋外の自然光（太陽光）を屋内に効率良く採り入れるとともに、屋内に居る人に眩しさを感じさせずに、屋内の奥の方まで明るく感じさせることができる採光装置を提供することを目的とする。
【課題を解決するための手段】
【０００６】
本発明の一態様における採光スラットは、長手方向に垂直な断面において複数の曲げ部を有し、光透過性を有する基材と、前記基材の第１面の少なくとも一部に設けられた光透過性を有する複数の採光部と、前記複数の採光部の間に設けられた空隙部と、を備え、前記採光部に入射した光を反射する機能を有する。【０００７】
本発明の一態様における採光スラットにおいて、前記基材は、前記複数の曲げ部のうちの第１曲げ部に対して一方の側に位置する第１領域と、他方の側に位置する第２領域と、を備え、前記第１領域の幅は前記第２領域の幅よりも広く、前記第１領域の第１面の少なくとも一部に前記複数の採光部が設けられた構成としてもよい。【０００８】
本発明の一態様における採光スラットにおいて、前記複数の採光部が前記第２領域に設けられた構成としてもよい。【０００９】
本発明の一態様における採光スラットにおいて、前記複数の曲げ部のうちの第２曲げ部に対して前記第１領域とは反対側に位置する第３領域をさらに備え、前記第１領域の幅は前記第３領域の幅よりも広い構成としてもよい。【００１０】
本発明の一態様における採光スラットにおいて、前記複数の採光部が前記第３領域に設けられた構成としてもよい。【００１１】
本発明の一態様における採光スラットにおいて、前記第２領域及び前記第３領域は、前記第１領域に対して互いに同じ側に曲げられている構成としてもよい。【００１２】
本発明の一態様における採光スラットにおいて、前記第２領域と前記第３領域とは、前記第１領域に対して互いに反対側に曲げられている構成としてもよい。【００１３】
本発明の一態様における採光スラットにおいて、前記第２領域および前記第３領域の少なくとも一方に、ラダーコード収納用の切り欠きが設けられた構成としてもよい。【００１４】
本発明の一態様における採光スラットにおいて、長手方向に垂直な断面において、前記第１領域と前記第２領域とのなす角度、および前記第１領域と前記第３領域とのなす角度の少なくとも一方が、９０°よりも大きい構成としてもよい。【００１５】
本発明の一態様における採光スラットにおいて、前記第２領域および前記第３領域の少なくとも一方が光吸収性を有する構成としてもよい。【００１６】
本発明の一態様における採光スラットにおいて、長手方向に垂直な断面において、前記第１領域と前記第２領域とのなす角度、および前記第１領域と前記第３領域とのなす角度の少なくとも一方が、９０°よりも小さい構成としてもよい。【００１７】
本発明の一態様における採光スラットにおいて、前記第２領域および前記第３領域の少なくとも一方が光反射性を有する構成としてもよい。【００１８】
本発明の一態様における採光スラットにおいて、前記基材の第２面の少なくとも一部に設けられた光拡散層をさらに備えた構成としてもよい。【００１９】
本発明の一態様における採光スラットにおいて、前記基材の第２面の少なくとも一部に設けられたプリズム構造体をさらに備えた構成としてもよい。【００２０】
本発明の一態様における採光装置は、複数のスラットと、前記スラットの長手方向を水平方向に向けて前記複数のスラットを連結するとともに前記複数のスラットを鉛直方向に吊り下げる形態で支持する支持機構と、を備え、前記複数のスラットのうちの少なくとも一部が、上記の採光スラットで構成されている。
【発明の効果】
【００２１】
本発明の一態様によれば、長手方向の中央部分の撓みが抑制された採光スラット、並びにそのような採光スラットを用いて、屋外の自然光（太陽光）を屋内に効率良く採り入れるとともに、屋内に居る人に眩しさを感じさせずに、屋内の奥の方まで明るく感じさせることができる採光装置を提供することができる。
【図面の簡単な説明】
【００２２】
【図１】ブラインドの外観を示す斜視図。
【図２】採光板の概略構成を示す斜視図。
【図３】図２のＡ−Ａ’線に沿う側面図。
【図４Ａ】第１実施形態の採光スラットを全開状態（水平状態）にしたときの様子を示す図。
【図４Ｂ】第１実施形態の採光スラットを全閉状態（鉛直状態）にしたときの様子を示す図。
【図５】比較例１の採光スラットの構成を示す図。
【図６Ａ】比較例１の採光スラットを備えたブラインドが全開状態のときの様子を示す図。
【図６Ｂ】比較例１の採光スラットを備えたブラインドが全閉状態のときの様子を示す図。
【図７】比較例２の採光スラットの構成を示す図。
【図８】既存の平板状スラットを片持ち梁で検証を行った様子を示す図。
【図９】本発明の一態様に係る実施例のスラットモデルによるシミュレーション結果を示す図。
【図１０】比較例２のスラットモデルによるシミュレーション結果を示す図。
【図１１】第１実施形態における変形例１−１の採光スラットの構成を示す図。
【図１２】第１実施形態における変形例１−２の採光スラットの構成を示す図。
【図１３】第１実施形態における変形例１−３の採光スラットの構成を示す図。
【図１４】第１実施形態における変形例１−４の採光スラットの構成を示す図。
【図１５】第１実施形態における変形例１−５の採光スラットの構成を示す図。
【図１６】変形例１−５の採光スラットの側面図。
【図１７】第２実施形態の採光スラットの構成を示す側面図。
【図１８】第２実施形態における採光スラットの変形例２−１の構成を示す図。
【図１９】第２実施形態における採光スラットの変形例２−２の構成を示す図。
【図２０】第２実施形態における採光スラットの他の構成を示す図。
【図２１】第３実施形態のブラインドの構成（全閉状態）を示す斜視図。
【図２２】第３実施形態のブラインドの構成（全閉状態）を示す側面図。
【図２３】第４実施形態のブラインドの構成（全閉状態）を示す斜視図。
【図２４】第４実施形態のブラインドの構成（全閉状態）を示す側面図。
【図２５】第５実施形態における補強部材付きの採光スラットを示す斜視図。
【図２６】第５実施形態における補強部材付きの採光スラットを示す側面図。
【図２７Ａ】第６実施形態における採光装置（全開状態）の要部を拡大して示す図。
【図２７Ｂ】第６実施形態における採光装置の使用時の様子（全閉状態）を示す図。
【図２８】第７実施形態における採光スラットの構成を示す側面図。
【図２９Ａ】第７実施形態のブラインドの全開状態の様子を示す図。
【図２９Ｂ】第７実施形態のブラインドの全閉状態の様子を示す図。
【図３０】第７実施形態の採光スラットモデルによるシミュレーション結果を示す図。
【図３１】第８実施形態における基材の構成を示す側面図。
【図３２】第８実施形態における採光スラットの構成を示す側面図。
【図３３】第１実施形態における採光スラットの変形例の構成を示す側面図。
【図３４】採光装置及び照明調光システムを備えた部屋モデルであって、図３５のＢ−Ｂ’線に沿う側面図。
【図３５】部屋モデルの天井を示す平面図。
【図３６】採光装置によって室内に採光された光（自然光）の照度と、室内照明装置による照度（照明調光システム）との関係を示すグラフ。
【発明を実施するための形態】
【００２３】
以下、本発明の実施形態につき、図面を参照して説明する。
なお、以下の説明に用いる各図面では、各部材を認識可能な大きさとするため、各部材の縮尺を適宜変更している。
【００２４】
［第１実施形態］
先ず、本発明の第１実施形態として、例えば図１に示すブラインド（採光装置）１について説明する。
なお、図１は、ブラインド１の外観を示す斜視図である。また、以下の説明において、ブラインド１の位置関係（上下、左右、前後）については、ブラインド１の使用時における位置関係（上下、左右、前後）に基づくものとし、特に説明がない限りは、図面においても、ブラインド１の位置関係は、紙面に対する位置関係と一致するものとする。
【００２５】
図１におけるブラインド１の上下方向をＺ方向、左右方向をＸ方向、前後方向をＹ方向とする。
【００２６】
ブラインド１は、図１に示すように、互いに間隔を空けて水平方向（Ｘ方向）に平行に並ぶ複数のスラット２と、複数のスラット２を鉛直方向（Ｚ方向）に吊り下げ自在に支持する支持機構３と、を主として構成されている。ブラインド１では、複数のスラット２を昇降自在に支持すると共に、複数のスラット２を傾動自在に支持している。
【００２７】
複数のスラット２は、採光性を有する複数の採光スラット４により構成される採光領域５と、採光領域５の下方に位置して、遮光性を有する複数の遮光スラット６により構成される遮光領域７とを有している。以下の説明において、採光スラット４と遮光スラット６とを特に区別しない場合は、スラット２としてまとめて扱うものとする。
【００２８】
採光領域５を構成する採光スラット４は、図２に示すような一方向に延在する採光板４０を備える。
図２は、採光板の概略構成を示す斜視図である。
図３は、図２のＡ−Ａ’線に沿う側面図である。
【００２９】
採光板４０は、図２、図３に示すように、光透過性を有する基材４１と、基材４１の第１面４１Ａの少なくとも一部に設けられた光透過性を有する複数の採光部４２と、これら複数の採光部４２の間に設けられた空隙部４３と、を備えている。
【００３０】
基材４１は、採光板４０の長手方向に垂直な断面（Ａ−Ａ’面）において、基材４１が長手方向に平行な直線に沿う複数の曲げ部Ｃ１，Ｃ２を有している。基材４１は、複数の曲げ部Ｃ１，Ｃ２のうち、第１曲げ部Ｃ１に対して一方の側に位置する第１部分４１ａと、第１曲げ部Ｃ１に対して他方の側に位置する第２部分４１ｂと、第２曲げ部Ｃ２に対して第１部分４１ａとは反対側に位置する第３部分４１ｃと、を備えている。
【００３１】
第１部分４１ａは第１面４１Ａに第１領域４１Ａａを有し、第２部分４１ｂは第１面４１Ａに第２領域４１Ａｂを有し、第３部分４１ｃは第１面４１Ａに第３領域４１Ａｃを有している。基材４１には、第１面４１Ａの少なくとも第１領域４１Ａａに複数の採光部４２が設けられている。
【００３２】
本実施形態の基材４１は、曲げ部Ｃ１，Ｃ２のそれぞれにおいて屈曲した形状をなし、第２部分４１ｂと第３部分４１ｃとが第１部分４１ａに対して基材４１の厚さ方向で互いに反対側に曲げられている。具体的に、第２部分４１ｂは基材４１の第２面４１Ｂ側に屈曲され、第３部分４１ｃは基材４１の第１面４１Ａ側に屈曲されている。本実施形態の基材４１は、短辺（第２部分４１ｂ）、長辺（第１部分４１ａ）、短辺（第３部分４１ｃ）と、長手方向に垂直な断面において多段階の曲げ加工で作製されている。
【００３３】
なお、本実施形態では、第１曲げ部Ｃ１及び第２曲げ部Ｃ２において屈曲された基材４１を備えており、第１部分４１ａに対して、第２部分４１ｂ及び第３部分４１ｃが所定の角度で直線状に折り曲げられた形状とされている。このように、とがった角部を有するように屈曲した曲げ部Ｃ１，Ｃ２の例を挙げたが、なだらかに湾曲した曲げ部Ｃ１，Ｃ２であってもよい。
【００３４】
このとき、例えば、各曲げ部Ｃ１，Ｃ２の部分だけを湾曲させるのではなく、第１曲げ部Ｃ１及び第２曲げ部Ｃ２から端部にかけて湾曲形状としてもよい。つまり、直線状の第１部分１５２ａに対して、第２部分１５２ｂ及び第３部分１５２ｃが互いに相反する湾曲形状とされていてもよい。これにより、図３３に示すように、基材１５２の第１面１５２Ａの略全体に採光部４２を形成する場合にも、第２部分１５２ｂ及び第３部分１５２ｃの曲率を調整することによって、第１部分１５２ａ及び第３部分１５２ｃの境界における採光部４２Ｃどうしの接触等を避けることができ、第１面１５２Ａ上に複数の採光部４２を均等に配置することができる。
【００３５】
本実施形態において、基材４１を構成する第１部分４１ａと第２部分４１ｂとがなす角度θ１、及び第１部分４１ａと第３部分４１ｃとがなす角度θ２は互いに等しく、いずれも１３０°である。なお、第１部分４１ａに対する第２部分４１ｂ及び第３部分４１ｃの角度θ１、θ２は、先に述べた角度に限られず、第１領域４１Ａａに形成される採光部４２の形状に応じて適宜設定される。基材４１のうち、微細構造が形成される第１部分４１ａの第１領域４１Ａａは、平坦面となることが好ましい。第２部分４１ｂの第２領域４１Ａｂと第３部分４１ｃの第３領域４１Ａｃには採光部４２が設けられていない。
【００３６】
基材４１のうち、第１領域４１Ａａの幅（採光部４２の長手方向に垂直な方向の幅（Ｙ方向の幅））は、同方向における第２領域４１Ａｂ及び第３領域４１Ａｃの幅よりも広く、第２領域４１Ａｂと第３領域４１Ａｃの幅は互いに等しい。基材４１において、第１領域４１Ａａ、第２領域４１Ａｂ及び第３領域４１Ａｃのそれぞれの寸法の割合は、８：１：１程度であり、第１領域４１Ａａの幅は、スラットピッチに近い寸法であることが好ましい。
【００３７】
基材４１は、熱可塑性ポリマーや熱硬化性樹脂、光重合性樹脂等の光透過性樹脂からなる。また、光透過性樹脂としては、アクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー等からなるものを用いることができる。その中でも、例えば、ポリメタクリル酸メチル樹脂（ＰＭＭＡ）、トリアセチルセルロース（ＴＡＣ）、ポリエチレンテレフタレート（ＰＥＴ）、シクロオレフィンポリマー（ＣＯＰ）、ポリカーボネート（ＰＣ）、ポリエチレンナフタレート（ＰＥＮ）、ポリエーテルサルホン（ＰＥＳ）、ポリイミド（ＰＩ）等を好適に用いることができる。基材４１の全光線透過率は、ＪＩＳ  Ｋ７３６１−１の規定で９０％以上が好ましい。これにより、十分な透明性を得ることができる。
【００３８】
採光部４２は、例えば、アクリル樹脂やエポキシ樹脂、シリコーン樹脂等の光透過性及び感光性を有する有機材料で構成されている。また、これらの有機材料に、重合開始剤やカップリング剤、モノマー、有機溶媒等を混合したものを用いることができる。さらに、重合開始剤は、安定剤、禁止剤、可塑剤、蛍光増白剤、離型剤、連鎖移動剤、他の光重合性単量体等のように、各種の添加成分を含んでいてもよい。その他、特許第４１２９９９１号公報に記載の材料を用いることができる。採光部４２の全光線透過率は、ＪＩＳ  Ｋ７３６１−１の規定で９０％以上が好ましい。これにより、十分な透明性を得ることができる。
【００３９】
複数の採光部４２は、基材４１の長手方向（Ｘ方向）に延在し、且つ、基材４１の短手方向（Ｙ方向）に並んで設けられている。また、各採光部４２は、断面五角形状のプリズム体を構成している。具体的に、この採光部４２は、基材４１の第１面４１Ａの第１領域４１Ａａと対向する第１の面部４２ａと、第１の面部４２ａと隣接する第２の面部４２ｂと、第１の面部４２ａと第２の面部４２ｂとは反対側で隣接する第３の面部（反射面）４２ｃと、互いに異なる向きに傾斜するとともに第１の面部４２ａに対向する第４の面部４２ｄ及び第５の面部（反射面）４２ｅと、を有している。
【００４０】
ここで、複数の採光部４２の各間には、空気（空隙部４３）が存在しているため、第４の面部４２ｄ及び第５の面部４２ｅが採光部４２の構成材料と空気との界面となる。この間には、他の低屈折率材料で充填してもよい。しかしながら、採光部４２の内部と外部との界面の屈折率差は、外部にいかなる低屈折率材料が存在する場合よりも空気が存在する場合に最大となる。したがって、空気が存在する場合は、スネル（Ｓｎｅｌｌ）の法則より、採光部４２に入射した光のうち、第５の面部４２ｅ又は第３の面部４２ｃで全反射する光の臨界角が最も小さくなる。これにより、第５の面部４２ｅ又は第３の面部４２ｃで全反射される光の入射角の範囲が最も広くなることから、採光部４２に入射した光を基材４１の他面側へと効率良く導くことができる。結果として、採光部４２に入射した光の損失が抑えられ、基材４１の他面から出射される光の輝度を高めることができる。
【００４１】
基材４１の屈折率と採光部４２の屈折率とは略同等であることが望ましい。例えば、基材４１の屈折率と採光部４２の屈折率とが大きく異なる場合、光が採光部４２から基材４１に入射したときに、これら採光部４２と基材４１との界面で不要な光の屈折や反射が生じることがある。この場合、所望の採光特性が得られない、輝度が低下するなどの不具合が生じる虞があるからである。
【００４２】
また、採光板４０の製造方法としては、例えば、フォトリソグラフィ技術を用いて基材４１の上に複数の採光部４２を形成することができる。また、フォトリソグラフィ技術を用いる方法以外にも、溶融押し出し法や型押し出し法、インプリント法などの方法によって、採光板４０を製造することができる。溶融押し出し法や型押し出し法などの方法では、基材４１と採光部４２は同一の樹脂によって一体に形成される。
また採光部４２をフィルムの一面に形成し、そのフィルムを基材４１の第１面４１Ａに貼合してもよい。フィルムの一面に採光部４２を形成する方法は、上述のフォトリソグラフィ技術やインプリント法等を用いることができる。
【００４３】
図１に戻り、遮光領域７を構成する遮光スラット６は、遮光性を有する長尺板状の遮光用基材１１からなる。遮光用基材１１は、いわゆるブラインド用のスラットとして一般的に使用されているものであればよく、例えば、金属製や木製、樹脂製のものを挙げることができる。但し、樹脂材料からなる採光スラット４よりも剛性の高い構成とする。また、遮光用基材１１の表面に塗装等を施したものを挙げることができる。
【００４４】
本実施形態において遮光スラット６は、金属材料からなり、樹脂材料からなる採光スラット４よりも剛性を有した構成となっている。遮光スラット６は、「ＪＩＳ  Ａ４８０１
鋼製及びアルミニウム合金製ベネシャンブラインド」の規定において、スラットは、幅３５ｍｍ以上のものは３ｍｍ以上、３５ｍｍ未満のものは２ｍｍ以上の重なりしろがあり、かつ、スラットが全閉状態のとき水平方向から見て向こう側が見えてはならない。そのため、閉状態における遮光スラット６の間隔として、ＪＩＳ規定を満たすことが好ましい。
【００４５】
また、遮光領域７を構成する遮光スラット６は、すべてが遮光性の高いものからなる必要はない。例えば、遮光領域７を構成する遮光スラット６の一部は、着色された光透過性を有する着色スラットにより構成されていてもよい。このように遮光スラット６の全部または一部を着色スラットとすることにより、完全に外光を遮光するスラットよりも室内の明るさを向上させることができる。また、室内に居る人の視線やパソコンモニターに過度なグレア光が入ることもなく、快適な室内環境が得られる。さらに、屋外から室内を覗き見される心配もなく、室内に居る人のプライバシーも確保される。
【００４６】
遮光スラット６の長手方向に垂直な断面形状は、図３で示す採光スラット４の形状と異なっていてもよいし、同じ形状としてもよい。採光スラット４と同じ形状であれば、遮光スラット６を収納する際に不要な応力等の発生を抑制できる。
【００４７】
支持機構３は、鉛直方向（複数のスラット２の短手方向）に平行に並ぶ複数のラダーコード１２と、複数のラダーコード１２の上端部を支持する固定ボックス１３と、複数のラダーコード１２の下端部に取り付けられる昇降バー１４とを備えている。
ラダーコード１２は、複数のスラット２の中央部を挟んだ左右の両側に一対並んで配置されている。
【００４８】
固定ボックス１３は、互いに平行に並ぶ複数のスラット２の最上部に位置して、これら複数のスラット２と平行に並んで配置されている。一方、昇降バー１４は、互いに平行に並ぶ複数のスラット２の最下部に位置して、これら複数のスラット２と平行に並んで配置されている。
【００４９】
支持機構３は、複数のスラット２を昇降操作するための昇降操作部１７と、複数のスラット２を傾動操作するための傾動操作部１８とを備えている。
【００５０】
昇降操作部１７は、複数の昇降コード１９を有している。複数の昇降コード１９は、それぞれラダーコード１２と平行に並んで配置されている。また、複数の昇降コード１９は、各スラット２に形成された孔部２０を貫通した状態で、その下端部が昇降バー１４に取り付けられている。
【００５１】
複数の昇降コード１９は、その上端側が固定ボックス１３の内部で引き回されて、固定ボックス１３の一方側に設けられた窓部２１から引き出されている。窓部２１から引き出された昇降コード１９は、操作コード２２の一端と連結されている。操作コード２２の他端は、昇降バー１４の一端部に取り付けられている。
【００５２】
昇降操作部１７では、昇降バー１４が最下部に位置する状態から、操作コード２２を引っ張ることによって、昇降コード１９が固定ボックス１３の内側へと引き込まれる。これにより、複数のスラット２が下部側から順に昇降バー１４の上に重なり合いながら、昇降バー１４と共に上昇する。昇降コード１９は、窓部２１の内側に設けられたストッパー（図示せず。）により固定される。これにより、昇降バー１４を任意の高さ位置で固定することができる。逆に、ストッパーによる昇降コード１９の固定を解除することによって、昇降バー１４を自重により降下させることができる。これにより、再び昇降バー１４を最下部に位置させることができる。
【００５３】
傾動操作部１８は、図１に示すように、固定ボックス１３の一方側に操作レバー２３を有している。操作レバー２３は、軸回りに回動自在に取り付けられている。傾動操作部１８では、操作レバー２３を軸回りに回動させることによって、ラダーコード１２を操作することができる。これにより、各スラット２の間を開いた全開状態（図４Ａ）と、各スラット２の間を閉じた全閉状態（図４Ｂ）との間で、複数のスラット２を互いに同期させながら傾動させることができる。
【００５４】
このような本実施形態のブラインド１を用いた場合には、窓ガラスを通して室内に入射した光を、採光領域５を構成する複数の採光スラット４によって室内の天井に向けて照射するとともに、遮光領域７を構成する複数の遮光スラット６によってグレア領域に向かう光を遮光することができる。
【００５５】
したがって、このブラインド１によれば、採光領域５を通して屋外の自然光（太陽光）を室内に効率良く採り入れると共に、室内に居る人に眩しさを感じさせずに、室内の奥の方まで明るく感じさせることが可能である。一方、遮光領域７によって窓ガラスから入射する光を遮光したり、窓ガラスを通して室内を覗き見されるのを防いだりすることが可能である。
【００５６】
図４Ａは、第１実施形態の採光スラット４を全開状態（水平状態）にしたときの様子を示す図である。図４Ｂは、第１実施形態の採光スラット４を全閉状態（鉛直状態）にしたときの様子を示す図である。
ブラインド１では、複数のスラット２を傾動操作することによって、図４Ａに示す全開状態と図４Ｂに示す全閉状態との間でスラット２の姿勢を変更し、採光領域において天井に向かう光の角度を調整することができる。ここで、図４Ｂに示す全閉状態のときに採光スラット４の採光性能を効率よく得るためには、微細構造が形成された領域（第１部分４１ａ）が上下方向に沿う垂直な姿勢となることが理想である。
【００５７】
多段屈曲のない採光スラットを備えた既存のブラインドの場合、全閉状態のときに採光スラットの微細構造面が上下方向に対して垂直にはならず、凡そ１５°±５°の角度で傾斜していた。
【００５８】
これに対して本実施形態の構成であれば、採光スラット４の２箇所で１３０°の曲げ加工を行っているため、回動操作により、上下方向に並ぶ各採光スラット４の第１部分４１ａが窓ガラス１００３に対して略垂直な姿勢とされる全閉状態（図４Ｂ）のときに、各採光スラット４の第１部分４１ａが窓ガラス１００３に対して略平行な姿勢となる。したがって、全閉状態のときに設計された採光特性を最大限得ることができる。
【００５９】
また、ブラインド１の全閉状態における採光特性を最大限得るためには、全閉状態の上下方向で隣接する採光スラット４の第１部分４１ａどうしの間の隙間が少なく、採光スラット４の第１部分４１ａが密に存在していることが好ましい。全閉状態において第１部分４１ａを密にするためには、第１部分４１ａ、第２部分４１ｂ及び第３部分４１ｃの各幅、第１部分４１ａに対する第２部分４１ｂ及び第３部分４１ｃがなす角度θ１，θ２、スラット幅及び隣接するスラットピッチを設計することが好ましい。
【００６０】
［実施例１］
本発明の一態様に係る実施例１における採光スラット４は多段階の曲げ加工で作製され、以下に示す寸法形状とされている。
・延在方向における長さＬ（図２）：１０００ｍｍ
・延在方向に交差する短手方向における幅Ｗ（図３）：２５ｍｍ
・スラット厚さＴ（図３）：０．５ｍｍ
・スラットピッチＰ（図４Ｂ）：２０ｍｍ前後
【００６１】
上述したように、実施例１の採光スラット４は、中央の第１部分４１ａの幅Ｗ１がスラットピッチＰに近い寸法とされていることが好ましい。ここで、全閉状態のときに、下位側の採光スラット４の第１部分４１ａが上位側の採光スラット４の第３部分４１ｃの陰にならないことが好ましい。これにより、採光スラット４の間を通過する直射日光が減り、各採光スラット４の第１部分４１ａに入射する光を増やすことができるので、採光性能を向上させることができる。
【００６２】
各採光スラットが、全閉状態でどの程度密に配置されているか（採光面積率）は、比較例１及び比較例２を用いて例えば以下のように求めることができる。
【００６３】
［比較例１］
図５は、比較例１の採光スラットの構成を示す図である。
図５に示す採光スラット８４の場合、長手方向に交差する幅方向において、スラット中央部分で折り曲げられ、折り曲げ部Ｃを介して対称的な断面形状を呈している。折り曲げ部Ｃの一方の側に位置する第１部分８１ａの幅Ｗ１と、他方の側に位置する第２部分８１ｂの幅Ｗ２は同一である。第１部分８１ａ及び第２部分８１ｂの各領域には、それぞれ複数の採光部４２が設けられている。ここではつまり、基材８１の第１部分８１ａの全面に採光部４２が配置されている。
【００６４】
したがって、第１部分８１ａの幅Ｗ１は、Ｗ１＝Ｗ３×（１／ｃｏｓ（（１８０−θ）／２）となる。ここで、一般に市販されているブラインドでは、スラット幅Ｗ３と隣接するスラットピッチＰは一定の関係を満たす。この市販されているブラインドのスラットを、比較例１の採光スラット８４に変更することを想定すると、Ｗ３／Ｐ≒１．２となる。
ここで、全閉状態では、スラットピッチＰにおける第１部分９１ａの占める割合が、そのまま採光面積率となる。そのため、上述の関係式をスラットピッチＰと第１部分８１ａの幅Ｗ１の関係式として、式を変形すると、Ｗ１／Ｐ≒１．２×（１／２）×（１／ｃｏｓ（（１８０−θ）／２）となる。ここで、例えばθ＝１５０°とすると、Ｗ１／Ｐ≒０．６２となり、採光面積率が６２％となる。
【００６５】
図６Ａは、比較例１の採光スラット８４を備えたブラインド（採光装置）８０が全開状態のときの様子を示す図である。図６Ｂは、比較例１の採光スラット８４を備えたブラインド８０が全閉状態のときの様子を示す図である。
比較例１の採光スラット８４を備えた採光装置では、図６Ａ及び図６Ｂに示すように、複数のスラット２（採光スラット８４）の傾動操作することによって、採光領域５において天井に向かう光の角度を調整することができる。
【００６６】
一方、遮光領域７においては、複数のスラット２（遮光スラット６）を傾動操作することによって、遮光スラット６の各間から入射する光を調整したり、遮光スラット６の各間から窓ガラス１００３を通して屋外の様子を見たりすることができる。
【００６７】
［比較例２］
図７は、比較例２の採光スラット９４の構成を示す図である。
図７に示す採光スラット９４の場合、採光面積を増やすため、基材９１の長手方向に交差する幅方向における一端側に偏った部分で折り曲げられ、断面形状が非対称的な形状を呈している。ここでは、折り曲げ部Ｃの一方の側に位置する第１部分９１ａの幅Ｗ１よりも、他方の側に位置する第２部分９１ｂの幅Ｗ２の方が短い。第１部分９１ａには、複数の採光部４２が設けられている。
第１部分９１ａと第２部分９１ｂとのなす角度が、例えばθ＝１３０°とすると、Ｗ１／Ｐ≒０．９４となり、採光面積率が９４％となる。
【００６８】
上述した比較例１の採光スラット８４を備えたブラインド８０の場合、全開状態のときに長手方向中央部分が撓みやすい。つまり、断面形状が対称形状なので、全開状態で水平姿勢とされたときに第１部分８１ａ及び第２部分８１ｂが均等に撓むことになる。また、採光面積を増やすために断面形状を非対称にした比較例２の採光スラット９４の場合は、断面方向で幅の広い第１部分９１ａ側の方が、重力が大きく撓みやすい。
このように、ブラインドを全開状態にしたときに各スラットが全体的に下方へ撓むと、上下に位置するスラットどうしが接触するなどして外の景色が部分的に遮られてしまい、外の景色が見えにくくなる他、室内に光を採り込むことができなくなってしまう。
【００６９】
次に、既存の平板状スラットの撓み具合について検証する。
図８は、既存の平板状スラットを片持ち梁で検証を行った様子を示す図である。
図８に示すように、既存の平板状スラット１０４は、長手方向一端側が支持部材１０５に対して片持ち梁状に固定されており、固定端１０４ａ側を支点として自由端１０４ｂ側が鉛直方向下方側へ撓み変形するようになっている。
・スラット基材：厚さ２５０μｍのＰＥＴ材
・梁の長さＬ：２００ｍｍ
・荷重：自重のみ
【００７０】
図８に示したようなスラットの撓みσが問題になるのはブラインドが全開状態のときである。そこで、実施例１及び比較例２のスラットモデルをそれぞれ作成し、構造計算シミュレーションを行った。
図９は、本発明の一態様に係る実施例１のスラットモデルによるシミュレーション結果を示す図である。図１０は、比較例２のスラットモデルによるシミュレーション結果を示す図である。図９および図１０においては、撓み量の多いところを黒で示している。
図９及び図１０に示すように、いずれのスラットモデル４，９４においても、自由端４ｂ及び自由端９４ｂ側が最も撓みが大きくなっているが、図１０に示す比較例２のスラットモデル９４は、図９に示す実施例１のスラットモデル４よりも断面のねじれが大きく、局所的な撓みが生じている。一方、図９に示す実施例１のスラットモデル４では、長手方向に交差する断面方向においてねじれが生じることなく均等に撓むため、局所的な撓みが抑えられている。
【００７１】
本実施形態では、採光スラットの長手方向に交差する幅方向において２箇所の曲げ部Ｃ１，Ｃ２を有することにより、長手方向の中央部分における局所的な撓みを抑えることができる。また、ブラインド１の全閉状態において、採光スラット４における基材４１の第１部分４１ａが鉛直方向に沿う姿勢となり、所望とする採光性能を得ることができる。
【００７２】
（変形例１）
以下に、第１実施形態における採光スラットの変形例について説明する。
「変形例１−１」
図１１は、第１実施形態における変形例１−１の採光スラット４Ａの構成を示す図である。
第１実施形態では、採光スラット４のうち、第１部分４１ａの第１領域４１Ａａのみに微細構造が設けられていたが、この構成に限られず、例えば図１１に示す採光スラット４Ａのように、第１部分４１ａの第１領域４１Ａａの他に、第２部分４１ｂの第２領域４１Ａｂ、第３部分４１ｃの第３領域４１Ａｃにも複数の採光部４２が設けられていてもよい。
【００７３】
「変形例１−２」
図１２は、第１実施形態における変形例１−２の採光スラット４Ｂの構成を示す図である。
図１２に示す採光スラット４Ｂのように、長手方向に交差する方向の断面形状が台形（矩形）状のプリズム体により構成された採光部４２Ｂを備えていてもよい。さらに、採光部の断面形状についても、五角形や六角形など適宜変更を加えることができる。
【００７４】
「変形例１−３」
図１３は、第１実施形態における変形例１−３の採光スラット４Ｃの構成を示す図である。
図１３に示す採光スラット４Ｃのように、長手方向に交差する方向の断面形状が三角形状のプリズム体により構成された採光部４２Ｃを備えていてもよい。さらに、採光部の断面形状についても、正三角形や直角三角形など適宜変更を加えることができる。
【００７５】
「変形例１−４」
図１４は、第１実施形態における変形例１−４の採光スラット４Ｄの構成を示す図である。
図１４に示す採光スラット４Ｄのように、基材４１の第２面４１Ｂ（第１面４１Ａとは反対側の面）側における第１部分４１ａに複数の採光部４２Ｄを形成し、これら複数の採光部４２Ｄが形成された微細構造側を屋内側へ向けて設置してもよい。
【００７６】
「変形例１−５」
図１５は、第１実施形態における変形例１−５の採光スラット４Ｅの構成を示す斜視図である。図１６は、変形例１−５の採光スラット４Ｅの側面図である。
図１５及び図１６に示す採光スラット４Ｅのように、第２部分４１ｂ及び第３部分４１ｃの各所定の箇所に、図１に示したラダーコード１２を挿通させる切り欠き８，９をそれぞれ形成してもよい。ラダーコード収納用の切り欠き８，９は、長手方向に交差する方向に切り欠かれた部位であり、第２部分４１ｂの切り欠き８が幅方向中央部位までの寸法であるのに対し、第３部分４１ｃの切り欠き９は、第３部分４１ｃの幅方向全体に亘って形成されている。さらに、切り欠き８，９の形状は図示したものに限られず、ラダーコード１２を収容できれば適宜変更が可能である。
【００７７】
さらに、図１５及び図１６に示す採光スラット４Ｅのように、第１部分４１ａに対して第２部分４１ｂ及び第３部分４１ｃが垂直に屈曲形成されていてもよい。先の実施形態では、第１部分４１ａに対する第２部分４１ｂ及び第３部分４１ｃの傾斜角度θが１３０°であったがこれに限定されず、傾斜角度θを９０°にした構成としてもよい。
【００７８】
第２部分４１ｂ及び第３部分４１ｃの幅の比率についても特に限定はないが、断面形状が対称形状であることが好ましい。第１部分４１ａに対して第２部分４１ｂ及び第３部分４１ｃの幅が大きすぎると、第２部分４１ｂ及び第３部分４１ｃが庇となってしまい、第１部分４１ａに設けた複数の採光部４２への光の入射率を妨げてしまうため好ましくない。よって、第１部分４１ａは、延在方向に交差する方向において、第２部分４１ｂ及び第３部分４１ｃよりも幅広い寸法であることが好ましい。
【００７９】
［第２実施形態］
次に、本発明の第２実施形態の採光スラット及び採光装置の構成について説明する。
以下に示す本実施形態の採光スラット及び採光装置の基本構成は、上記第１実施形態と略同様であるが、光拡散特性をさらに付与した点において異なる。よって、以下の説明では、先の実施形態と異なる点について詳しく説明し、共通な箇所の説明は省略する。また、説明に用いる各図面において、図１〜図１６と共通の構成要素には同一の符号を付すものとする。
【００８０】
図１７は、第２実施形態の採光スラットの構成を示す側面図である。
図１７に示すように、本実施形態の採光スラット２４は、基材４１の第２面４１Ｂ側に光を拡散させる光拡散層２５を備えた構成とされている。光拡散層２５は、基材４１の微細構造面とは反対側に設けられており、採光部４２において屈曲された光を拡散させて射出する。光拡散層２５としては、等方性拡散、異方性拡散のいずれの特性を有していてもよく、目的に応じて選定する。
【００８１】
本実施形態の構成によれば、光拡散層２５によって、グレア光が他の様々な角度に分散されて、採光された指向性の強い光によるグレアを緩和することができる。これにより、室内に居る人の視線やパソコンモニター等に過度なグレア光が入ることもなく、快適な室内環境が得られる。
【００８２】
以下に、第２実施形態における採光スラットの変形例の構成について述べる。
「変形例２−１」
図１８は、第２実施形態における採光スラットの変形例２−１の構成を示す図である。
図１８に示す採光スラット２４Ａのように、基材４１の微細構造が形成された第１面４１Ａとは反対側の第２面４１Ｂの全体に光拡散層２５が設けられていてもよい。また、基材４１における第１部分４１ａの第１領域４１Ａａだけでなく、第２部分４１ｂの第２領域４１Ａｂにも複数の採光部４２が設けられていてもよい。
【００８３】
「変形例２−２」
図１９は、第２実施形態における採光スラットの変形例２−２の構成を示す図である。
図１９に示す採光スラット２４Ｂのように、基材４１の第１面４１Ａの全体に複数の採光部４２が形成されているとともに、第２面４１Ｂの全体に光拡散層２５を設けた構成としてもよい。
【００８４】
図２０は、第２実施形態における採光スラットの他の構成を示す図である。
本実施形態では、光拡散特性を付与する手段として光拡散層２５を備えた構成について述べたが、これに限られず、例えば、図２０に示すように、上述した光拡散層２５の代わりに光拡散フィルム（プリズム構造体）２６を設けた構成としてもよい。具体的には、図２０に示すように、基材４１の第２面４１Ｂにおける第１部分４１ａに、基材２６ｂ上に複数のプリズム部２６ａが賦形されてなる光拡散フィルム２６を設けた構成としてもよい。各プリズム部２６ａは、長手方向に交差する断面形状が三角形状を呈しており、配列方向（上下方向）で隣り合うプリズム部２６ａとの間に所定の間隔を開けた状態で配列されている。光拡散フィルム２６は、基材４１の第２面４１Ｂの第１部分４１ａに不図示の接着材を介して貼り合わされる。
このように、基材４１の光射出面（第２面４１Ｂ）側に第２の微細構造として光拡散フィルム２６を設けることによって射出する光を拡散させてもよい。
【００８５】
［第３実施形態］
次に、本発明の第３実施形態の採光スラット及び採光装置の構成について説明する。
以下に示す本実施形態の採光スラット及び採光装置の基本構成は、上記第１実施形態と略同様であるが、採光スラットの一部に遮光性を付与した点において異なる。よって、以下の説明では、先の実施形態と異なる点について詳しく説明し、共通な箇所の説明は省略する。また、説明に用いる各図面において、図１〜図１６と共通の構成要素には同一の符号を付すものとする。
【００８６】
図２１は、第３実施形態のブラインドの構成（全閉状態）を示す斜視図である。図２２は、第３実施形態のブラインドの構成（全閉状態）を示す側面図である。
図２１に示すように、本実施形態のブラインド（採光装置）３０は、部分的に遮光性を有した採光スラット３４を複数備えている。図２２に示すように、採光スラット３４は、基材４１のうち微細構造が設けられた第１部分４１ａ以外の第２部分４１ｂ及び第３部分４１ｃがそれぞれ任意の色（例えば、黒色、青色）に着色されている。採光スラット３４に入射する光のうち、低い角度で入射する光は、複数の採光部４２が形成された第１部分４１ａに入射し、各採光部４２において室内の上方に向けて屈曲されて射出される。一方、高い角度で入射する光は、着色された第３部分４１ｃにおいて外側へ反射あるいは吸収されるためスラットを透過しない。
【００８７】
このように、採光スラット３４のうち、第１部分４１ａ以外の第２部分４１ｂ及び第３部分４１ｃを着色させておくことにより、冬季の寒い時期における低角な光を室内に多く採り入れることができるとともに、夏季の厚い時期における高角な光を外側へ反射あるいは吸収して室内に採り込まないようにすることができる。このように、季節ごとに最適な採光作用を得ることができる。
【００８８】
なお、本実施形態においても、第２部分４１ｂ及び第３部分４１ｃのそれぞれにラダーコード１２（図１）を挿入させるための切り欠き８，９を形成してもよい。
【００８９】
本実施形態において、第２部分４１ｂ及び第３部分４１ｃに遮光性（光吸収性）を付与した構成としたが、これに限られず、少なくとも第２部分４１ｂ及び第３部分４１ｃの一方に遮光性を付与した構成としてもよい。ブラインドの構成によって異なるが、全閉状態のときに第２部分４１ｂ及び第３部分４１ｃのうち第１部分４１ａよりも下位側となる方に遮光性を付与することが好ましい。
【００９０】
［第４実施形態］
次に、本発明の第４実施形態の採光スラット及び採光装置の構成について説明する。
以下に示す本実施形態の採光スラットは、第１部分に対する第３部分の傾斜角度及び第３部分に光反射性が付与されている点が先の実施形態と異なっている。よって、以下の説明では、先の実施形態と異なる点について詳しく説明し、共通な箇所の説明は省略する。
また、説明に用いる各図面において、図２１及び図２２と共通の箇所には同一の符号を付すものとする。
【００９１】
図２３は、第４実施形態のブラインドの構成（全閉状態）を示す斜視図である。図２４は、第４実施形態のブラインドの構成（全閉状態）を示す側面図である。
図２３に示す本実施形態のブラインド（採光装置）４５における各採光スラット４４は、基材４１のうち微細構造が設けられた第１部分４１ａに対する第３部分４１ｃの傾斜角度θが鋭角になっている。
【００９２】
図２３及び図２４に示すように、第３部分４１ｃは、第１部分４１ａ側へ大きく屈曲形成されており、第１部分４１ａに対する傾斜角度θが９０°未満であって、ここでは６０°程度とされている。本実施形態では、採光スラット４４の長手方向に交差する方向から見たときに、第１部分４１ａに形成された複数の採光部４２のうち下位側に設けられた幾つかの採光部４２が、大きく屈曲形成された第３部分４１ｃによって隠れるような構成となっている。
【００９３】
さらに本実施形態では、第３部分４１ｃに光反射性が付与されている。第３部分４１ｃの第３領域４１Ａｃに光反射性を付与する手法としては、ミラー部材あるいは散乱反射部材が挙げられ、本実施形態では第３領域４１Ａｃの略全体に設けられている。なお、第３領域４１Ａｃの全体ではなく部分的に光反射性を付与した構成としてもよい。
【００９４】
本実施形態によれば、採光スラット４４のうち第３部分４１ｃに入射した高角な光は、第３部分４１ｃによって第１部分４１ａ側に向かって反射されて採光部４２に入射することになる。このように、第３部分４１ｃに入射した高角な光を外側へ反射させることなく、有効に利用することができる。
【００９５】
北向きの窓や庇が長い建物など直射日光が入り難い建物の場合、スラットの下端側（第３部分４１ｃ）が上向きに屈曲形成されていてもよい。これにより、第３部分４１ｃにおいて反射、拡散された光も利用することができるため、日当たりの良くない室内であっても明るい環境を確保することができる。
【００９６】
［第５実施形態］
次に、本発明の第５実施形態の採光スラット及び採光装置の構成について説明する。
以下に示す本実施形態の採光スラット及び採光装置の基本構成は、第１〜第３実施形態と略同様であるが、採光スラットに補強部材が設けられている点において異なる。よって、以下の説明では、先の実施形態と異なる点について詳しく説明し、共通な箇所の説明は省略する。また、説明に用いる各図面において、先の実施形態と共通の箇所には同一の符号を付すものとする。
【００９７】
図２５は、第５実施形態における補強部材付きの採光スラットを示す斜視図である。
図２６は、第５実施形態における補強部材付きの採光スラットを示す側面図である。
図２５に示すように、本実施形態の採光スラット５４には、各採光板４０に補強部材５１が取り付けられている。補強部材５１は、基材４１の第２面４１Ｂ側を覆うように取り付けられている。補強部材５１は、金属材料あるいは樹脂材料などから構成され、樹脂材料を用いる場合には、採光スラット４の厚さよりも厚く形成し、剛性を高めた構成とすることが好ましい。
【００９８】
補強部材５１は、採光スラット５４の第２面４１Ｂ側の第１部分４１ａに対向する中央部５１ａと、中央部５１ａの一端側であって採光スラット５４の第２部分４１ｂに係合する第２係合部５１ｂと、中央部５１ａの他端側であって採光スラット５４の第３部分４１ｃに係合する第３係合部５１ｃと、を有して構成されている。
【００９９】
図２６に示すように、中央部５１ａは、採光スラット５４の第１部分４１ａの幅に相当する長さを有している。
第２係合部５１ｂは、採光スラット５４の第２部分４１ｂの第２面４１Ｂ側から第１面４１Ａ側に向かって折り返されるように屈曲形成されており、内側に採光スラット４の第２部分４１ｂに係合する隙間Ｓ２を有している。
第３係合部５１ｃは、採光スラット５４の第３部分４１ｃの第２面４１Ｂ側から第１面４１Ａ側に向かって折り返されるように屈曲形成されており、内側に採光スラット５４の第３部分４１ｃに係合する隙間Ｓ３を有している。
【０１００】
このように、採光スラット５４の形状に沿って形成された補強部材５１は、採光スラット４の長手方向一方端側から各隙間Ｓ２，Ｓ３内に採光スラット５４の第２部分４１ｂ及び第３部分４１ｃをそれぞれ挿通させながら、採光スラット５４の所定の位置に取り付けられる。ここで、採光スラット４に切り欠きが形成されている場合には、補強部材５１にも切り欠きを形成することが好ましい。
【０１０１】
既存の採光スラットでは、ラダーコード１２（図１）を挿通させる部分が支点となるため、特に、ラダーコード１２を挿通させるための切り欠きが形成されている場合は、強度が弱く局所的に変形が生じやすいという問題があった。
【０１０２】
このため、本実施形態のような補強部材５１を採光スラット５４に取り付けることによって、採光スラット５４の強度を高めることができ、変形を抑えることができる。特に、採光スラット５４のラダーコード部分（切欠きが形成された位置）に補強部材５１を取り付けることによって、採光スラット４側の切り欠き周辺を補強部材５１によって補強することができる。これにより、補強部材５１を設けない構成よりもスラット強度が大幅に向上し、採光スラット４の局所的な変形を抑制することが可能である。
なお、採光スラット４だけでなく、遮光スラット６にも補強部材５１を取り付けてもよい。
【０１０３】
［第６実施形態］
次に、本発明の第６実施形態の採光スラット及び採光装置の構成について説明する。
以下に示す本実施形態の採光装置は、先の実施形態とは屈曲方向が異なる採光スラットを備えている。よって、以下の説明では、先の実施形態と異なる点において詳しく説明し、共通の箇所の説明は省略する。
【０１０４】
図２７Ａは、第６実施形態における採光装置（全開状態）の要部を拡大して示す図である。図２７Ｂは、第６実施形態における採光装置の使用時の様子（全閉状態）を示す図である。
図２７Ａに示すように、本実施形態のブラインド（採光装置）６０では、基材６１の第２部分４１ｂが第１面４１Ａ側に屈曲形成されているとともに、第３部分４１ｃが第２面４１Ｂ側に屈曲形成されており、先の実施形態とは屈曲方向が逆になった採光スラット６４を備えて構成されている。採光スラット６４には、第１面４１Ａ側の第１部分４１ａから第２部分４１ｂにかけて複数の採光部４２が形成されており、第３部分４１ｃには採光部４２は設けられていない。
【０１０５】
このような採光スラット６４は、操作レバー２３（図１）の操作時におけるスラット傾動方向が先の実施形態とは異なっており、ブラインド６０が全開状態とされたときに、微細構造が形成された第１面４１Ａ側が下方（第２面４１Ｂに設けられた光拡散層２５側が上方）に向くように設置され、ブラインド６０を全閉状態にすると、図２７Ｂに示すように、採光スラット６４の微細構造面側が屋外（窓ガラス）側に向く姿勢とされる。
【０１０６】
本実施形態の構成とすることで、ブラインド６０を全開状態としたときに、水平姿勢とされた採光スラット６４の撓みを抑制することができる。
なお、遮光スラットにおいても、本実施形態の採光スラット６４と同様の形状にしてもよい。
【０１０７】
［第７実施形態］
次に、本発明の第７実施形態の採光スラット及びブラインドの構成について説明する。
以下に示す本実施形態のブラインドは、先の実施形態における採光スラットと形状が異なる採光スラットを備えている。
図２８は、第７実施形態における採光スラットの構成を示す側面図である。
図２８に示すように、本実施形態の採光スラット７４は、基材７１の第１部分７１ａに対して、第２部分７１ｂ及び第３部分７１ｃが同じ方向へ屈曲形成されている。具体的に第２部分７１ｂ及び第３部分７１ｃは、複数の採光部４２が形成された第１面７１Ａとは反対側の第２面７１Ｂに屈曲されている。第１部分７１ａに対する第２部分７１ｂ及び第３部分７１ｃの各傾斜角度θはともに１３０°である。
【０１０８】
図２９Ａは、第７実施形態のブラインドの全開状態の様子を示す図である。
図２９Ｂは、第７実施形態のブラインドの全閉状態の様子を示す図である。
図２９Ａ及び図２９Ｂに示すように、採光スラット７４には、基材７１の第３部分７１ｃにラダーコード１２を挿通させるための切り欠き９が形成されている。切り欠き９を形成しておくことにより、ブラインド（採光装置）７０を全閉状態としたときに第１部分７１ａを垂直姿勢とすることができる。
なお、採光スラット７４の第１部分７１ａを垂直姿勢にする必要がない場合は、切り欠き９を形成しなくてもよい。
【０１０９】
次に、本実施形態における採光スラットの撓み具合について片持ち梁での検証を行った。
図３０は、第７実施形態の採光スラットモデルによるシミュレーション結果を示す図である。
採光スラット７４は、長手方向一端側が支持部材（不図示）に対して片持ち梁状に固定されており、固定端７４ａ側を支点として自由端７４ｂ側が鉛直方向下方側へ撓み変形するようになっている。
・スラット基材：厚さ２５０μｍのＰＥＴ材
・梁の長さＬ：２００ｍｍ
・荷重：自重のみ
【０１１０】
図３０に示すように、自由端７４ｂ側が最も撓みが大きくなっているが、断面のねじれがなく断面において均一に撓みが生じ、局所的な撓みが抑えられている。このように、基材４１における第２部分４１ｂ及び第３部分４１ｃの屈曲方向が同じ方向であっても、局所的な撓み改善に効果がある。
【０１１１】
［第８実施形態］
次に、本発明の第８実施形態の採光スラット及びブラインドの構成について説明する。
図３１は、第８実施形態における基材の構成を示す側面図である。
図３２は、第８実施形態における採光スラットの構成を示す側面図である。
図３１に示すように、本実施形態における基材１４１は、第２部分１４１ｂ及び第３部分１４１ｃのそれぞれに曲げ部Ｃ１１，Ｃ２１が設けられている。各曲げ部Ｃ１１，Ｃ２１は、基材１４１の短手方向において第１曲げ部Ｃ１及び第２曲げ部Ｃ２よりも外側にそれぞれ設けられている。第２部分１４１ｂ及び第３部分１４１ｃは、各曲げ部Ｃ１１，Ｃ２１において所定の角度で屈曲されている。
【０１１２】
第１曲げ部Ｃ１、第２曲げ部Ｃ２、及び各曲げ部Ｃ１１，Ｃ２１における角度θ１，θ２，θ３，θ４は、それぞれ１５０°に設定されている。曲げ部Ｃ１，Ｃ２，Ｃ１１，Ｃ２１の各角度θ１，θ２，θ３，θ４を１５０°に設定することで、屈曲部分における傾斜が緩やかになり、多段階曲げ形状をなす基材１４１の作製が容易になる。
【０１１３】
図３２に示すように、本実施形態の採光スラット１４０は、上述した基材１４１と、基材１４１の第１面１４１Ａに形成された多数の採光部４２Ｃと、基材１４１の第２面１４１Ｂに設けられた光拡散層２５と、を備えて構成されている。
【０１１４】
本実施形態では、基材１４１の第１面１４１Ａの略全体に採光部４２Ｃが設けられており、第１領域１４１Ａａに設けられた採光部４２Ｃから射出される光と、第２領域１４１ｂ及び第３領域１４１ｃのうち、各曲げ部Ｃ１１，Ｃ２１よりも内側の領域に設けられた採光部４２Ｃから射出される光と、曲げ部Ｃ１１，Ｃ２１よりも外側の領域に設けられた採光部４２Ｃから射出された光とで、それぞれ射出角度を異ならせることができる。
【０１１５】
第２部分１４１ｂ及び第３部分１４１ｃに曲げ部Ｃ１１，Ｃ２１を設けて基材１４１の全体における屈曲部分をさらに増やしたことにより、第１部分１４１ａ、第２部分１４１ｂ及び第３部分１４１ｃから射出される光の射出角度に変化を持たせることができる。
このように、基材１４１における曲げ部の数を増やすことによって、基材４１の長手方向における撓みを抑制するとともに射出光を様々な角度で射出させることができるので、グレア光の抑制効果も得られるようになる。
なお、延在方向に交差する短手方向における幅Ｗや、第１部分１４１ａの幅Ｗ１など、各寸法は適宜設定される。
【０１１６】
［実施例］
＜基材１４１の構成＞
第１部分１４１ａの長さ：１７ｍｍ
第２部分１４１ｂの曲げ部Ｃ１１の両側の長さ：２ｍｍ
第３部分１４１ｃの曲げ部Ｃ２１の両側の長さ：２ｍｍ
基材１４１の厚さ：０．５ｍｍ
延在方向に交差する短手方向における幅Ｗ：２５ｍｍ
【０１１７】
以上、添付図面を参照しながら本発明の一態様に係る好適な実施形態について説明したが、本発明の一態様は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。各実施形態の構成を適宜組み合わせてもよい。また上述の実施形態では、一枚の平板を折り曲げた例を主に図示して説明したが、この例の他に湾曲させた曲面状のスラットを用いてもよい。
【０１１８】
［照明調光システム］
図３４は、採光装置及び照明調光システムを備えた部屋モデル２０００であって、図３５のＢ−Ｂ’線に沿う側面図である。図３５は、部屋モデル２０００の天井を示す平面図である。
【０１１９】
部屋モデル２０００において、外光が導入される部屋２００３の天井２００３ａを構成する天井材は、高い光反射性を有していてもよい。図３４及び図３５に示すように、部屋２００３の天井２００３ａには、光反射性を有する天井材として、光反射性天井材２００３Ａが設置されている。光反射性天井材２００３Ａは、窓２００２に設置された採光装置２０１０からの外光を室内の奥の方に導入することを促進することを目的とするもので、窓際の天井２００３ａに設置されている。具体的には、天井２００３ａの所定の領域Ｅ（窓２００２から約３ｍの領域）に設置されている。
【０１２０】
この光反射性天井材２００３Ａは、先に述べたように、採光装置２０１０（上述したいずれかの実施形態の採光装置）が設置された窓２００２を介して室内に導入された外光を室内の奥の方まで効率よく導く働きをする。採光装置２０１０から室内の天井２００３ａへ向けて導入された外光は、光反射性天井材２００３Ａで反射され、向きを変えて室内の奥に置かれた机２００５の机上面２００５ａを照らすことになり、当該机上面２００５ａを明るくする効果を発揮する。
【０１２１】
光反射性天井材２００３Ａは、拡散反射性であってもよいし、鏡面反射性であってもよいが、室内の奥に置かれた机２００５の机上面２００５ａを明るくする効果と、室内に居る人とって不快なグレア光を抑える効果を両立するために、両者の特性が適度にミックスされたものが好ましい。
【０１２２】
採光装置２０１０によって室内に導入された光の多くは、窓２００２の付近の天井に向かうが、窓２００２の近傍は光量が十分である場合が多い。そのため、上記のような光反射性天井材２００３Ａを併用することによって、窓付近の天井（領域Ｅ）に入射した光を、窓際に比べて光量の少ない室内の奥の方へ振り分けることができる。
【０１２３】
光反射性天井材２００３Ａは、例えば、アルミニウムのような金属板に数十ミクロン程度の凹凸によるエンボス加工を施したり、同様の凹凸を形成した樹脂基板の表面にアルミのような金属薄膜を蒸着したりして作成することができる。あるいは、エンボス加工によって形成される凹凸がもっと大きな周期の曲面で形成されていてもよい。
【０１２４】
さらに、光反射性天井材２００３Ａに形成するエンボス形状を適宜変えることによって、光の配光特性や室内における光の分布を制御することができる。例えば、室内の奥の方に延在するストライプ状にエンボス加工を施した場合は、光反射性天井材２００３Ａで反射した光が、窓２００２の左右方向（凹凸の長手方向に交差する方向）に拡がる。部屋２００３の窓２００２の大きさや向きが限られているような場合は、このような性質を利用して、光反射性天井材２００３Ａによって光を水平方向へ拡散させるとともに、室内の奥の方向へ向けて反射させることができる。
【０１２５】
採光装置２０１０は、部屋２００３の照明調光システムの一部として用いられる。照明調光システムは、例えば、採光装置２０１０と、複数の室内照明装置２００７と、窓に設置された日射調整装置２００８と、これらの制御系と、天井２００３ａに設置された光反射性天井材２００３Ａと、を含む部屋全体の構成部材から構成される。
【０１２６】
部屋２００３の窓２００２には、上部側に採光装置２０１０が設置され、下部側に日射調整装置２００８が設置されている。ここでは、日射調整装置２００８として、ブラインドが設置されているが、これに限らない。
【０１２７】
部屋２００３には、複数の室内照明装置２００７が、窓２００２の左右方向（Ｙ方向）および室内の奥行き方向（Ｘ方向）に格子状に配置されている。これら複数の室内照明装置２００７は、採光装置２０１０と併せて部屋２００３の全体の照明システムを構成している。
【０１２８】
図３４及び図３５に示すように、例えば、窓２００２の左右方向（Ｙ方向）の長さＬ１が１８ｍ、部屋２００３の奥行方向（Ｘ方向）の長さＬ２が９ｍのオフィスの天井２００３ａを示す。ここでは、室内照明装置２００７は、天井２００３ａの横方向（Ｙ方向）及び奥行方向（Ｘ方向）に、それぞれ１．８ｍの間隔Ｐをおいて格子状に配置されている。
より具体的には、５０個の室内照明装置２００７が１０行（Ｙ方向）×５列（Ｘ方向）に配列されている。
【０１２９】
室内照明装置２００７は、室内照明器具２００７ａと、明るさ検出部２００７ｂと、制御部２００７ｃと、を備え、室内照明器具２００７ａに明るさ検出部２００７ｂ及び制御部２００７ｃが一体化されて構成されたものである。
【０１３０】
室内照明装置２００７は、室内照明器具２００７ａ及び明るさ検出部２００７ｂをそれぞれ複数ずつ備えていてもよい。但し、明るさ検出部２００７ｂは、各室内照明器具２００７ａに対して１個ずつ設けられる。明るさ検出部２００７ｂは、室内照明器具２００７ａが照明する被照射面の反射光を受光して、被照射面の照度を検出する。ここでは、明るさ検出部２００ｂによって、室内に置かれた机２００５の机上面２００５ａの照度を検出する。
【０１３１】
各室内照明装置２００７に１個ずつ設けられた制御部２００７ｃは、互いに接続されている。各室内照明装置２００７は、互いに接続された制御部２００７ｃにより、各々の明るさ検出部２００７ｂが検出する机上面２００５ａの照度が一定の目標照度Ｌ０（例えば、平均照度：７５０ｌｘ）になるように、それぞれの室内照明器具２００７ａのＬＥＤランプの光出力を調整するフィードバック制御を行っている。
【０１３２】
図３６は、採光装置によって室内に採光された光（自然光）の照度と、室内照明装置による照度（照明調光システム）との関係を示すグラフである。図３６において、縦軸は机上面の照度（ｌｘ）を示し、横軸は窓からの距離（ｍ）を示している。また、図中の破線は、室内の目標照度を示している。（●：採光装置による照度、△：室内照明装置による照度、◇：合計照度）
図３６に示すように、採光装置２０１０により採光された光に起因する机上面照度は、窓近傍ほど明るく、窓から遠くなるに従ってその効果は小さくなる。採光装置２０１０を適用した部屋では、昼間において窓からの自然採光によりこのような部屋奥方向への照度分布が生じる。そこで、採光装置２０１０は、室内の照度分布を補償する室内照明装置２００７と併用して用いられる。室内天井に設置された室内照明装置２００７は、それぞれの装置の下の平均照度を明るさ検出部２００７ｂによって検出し、部屋全体の机上面照度が一定の目標照度Ｌ０になるように調光制御されて点灯する。従って、窓近傍に設置されているＳ１列、Ｓ２列はほとんど点灯せず、Ｓ３列、Ｓ４列、Ｓ５列と部屋奥方向に向かうに従って出力を上げながら点灯される。結果として、部屋の机上面は自然採光による照度と室内照明装置２００７による照明の合計で照らされ、部屋全体に渡って執務をする上で十分とされる机上面照度である７５０ｌｘ（「ＪＩＳ  Ｚ９１１０  照明総則」の執務室における推奨維持照度）を実現することができる。
【０１３３】
以上述べたように、採光装置２０１０と照明調光システム（室内照明装置２００７）とを併用することにより、室内の奥の方まで光を届けることが可能となり、室内の明るさをさらに向上させることができるとともに部屋全体に渡って執務をする上で十分とされる机上面照度を確保することができる。したがって、季節や天気による影響を受けずにより一層安定した明るい光環境が得られる。
【産業上の利用可能性】
【０１３４】
本発明のいくつかの態様は、長手方向の中央部分の撓みが抑制された採光スラット、並びにそのような採光スラットを用いて、屋外の自然光（太陽光）を屋内に効率良く採り入れるとともに、屋内に居る人に眩しさを感じさせずに、屋内の奥の方まで明るく感じさせることが必要な採光スラット及び採光装置などに適用することができる。
【符号の説明】
【０１３５】
１，３０，４５，６０，７０，８０…ブラインド（採光装置）、２…スラット、３…支持機構、４，４Ａ，４Ｂ，４Ｃ，４Ｄ，４Ｅ，２４，２４Ａ，２４Ｂ，３４，４４，５４，６４，７４，８４，９４…採光スラット、８，９…切り欠き、１２…ラダーコード、２５…光拡散層、２６…光拡散フィルム（プリズム構造体）、４１，６１，７１，８１，９１…基材、４１Ａ，７１Ａ…第１面、４１Ｂ，７１Ｂ…第２面、４２，４２Ｂ，４２Ｃ，４２Ｄ…採光部、４３…空隙部、４１Ａａ…第１領域、４１Ａｂ…第２領域、４１Ａｃ…第３領域、２０１０…採光装置、Ｃ１…第１曲げ部、Ｃ２…第２曲げ部、Ｃ１１，Ｃ２１…曲げ部、Ｗ１，Ｗ２…幅
【図１】
2018066264.tif 000003
【図２】
2018066264.tif 000004
【図３】
2018066264.tif 000005
【図４Ａ】
2018066264.tif 000006
【図４Ｂ】
2018066264.tif 000007
【図５】
2018066264.tif 000008
【図６Ａ】
2018066264.tif 000009
【図６Ｂ】
2018066264.tif 000010
【図７】
2018066264.tif 000011
【図８】
2018066264.tif 000012
【図９】
2018066264.tif 000013
【図１０】
2018066264.tif 000014
【図１１】
2018066264.tif 000015
【図１２】
2018066264.tif 000016
【図１３】
2018066264.tif 000017
【図１４】
2018066264.tif 000018
【図１５】
2018066264.tif 000019
【図１６】
2018066264.tif 000020
【図１７】
2018066264.tif 000021
【図１８】
2018066264.tif 000022
【図１９】
2018066264.tif 000023
【図２０】
2018066264.tif 000024
【図２１】
2018066264.tif 000025
【図２２】
2018066264.tif 000026
【図２３】
2018066264.tif 000027
【図２４】
2018066264.tif 000028
【図２５】
2018066264.tif 000029
【図２６】
2018066264.tif 000030
【図２７Ａ】
2018066264.tif 000031
【図２７Ｂ】
2018066264.tif 000032
【図２８】
2018066264.tif 000033
【図２９Ａ】
2018066264.tif 000034
【図２９Ｂ】
2018066264.tif 000035
【図３０】
2018066264.tif 000036
【図３１】
2018066264.tif 000037
【図３２】
2018066264.tif 000038
【図３３】
2018066264.tif 000039
【図３４】
2018066264.tif 000040
【図３５】
2018066264.tif 000041
【図３６】
2018066264.tif 000042
【国際調査報告】
2018066264.tif 000043
2018066264.tif 000044
2018066264.tif 000045
2018066264.tif 000046